(57)【要約】【課題】  使用中に充填製品の容易な抽出を可能にする紙製包装容器及びカートンブランクを提供する。【解決手段】  トップパネルと、ボトムパネルと、前面パネルと、背面パネルと、左面パネルと、右面パネルと、トップパネル上に配置された開口装置とを含み、前面パネルは上前縁部に沿ってトップパネルに連結され、左面パネルは左上縁部に沿ってトップパネルに連結され、上前縁部は、左面パネルと右面パネルとの間に延在し、中心点を有し、左上縁部は、前面パネルと背面パネルとの間に延在し、中心点を有し、開口装置は中心点を有し、中心点は上前縁部に垂直に、かつその中心点を通って延在する第１の線まで偏差距離を有し、トップパネルの領域はボトムパネルの領域より大きい、紙製包装容器又はカートンブランクが開示される。【選択図】      図１
2020040729.tif 000002
【特許請求の範囲】
【請求項１】
液体消費品用紙製包装容器（１００）であって、
トップパネル（Ｔ）と、
ボトムパネル（Ｂ）と、
前記トップパネルと前記ボトムパネルとの間に延在する本体（１０１）であって、前記本体は、
前面パネル（ＦＰ）と、背面パネル（ＢＰ）と、左面パネル（ＬＰ）と、右面パネル（ＲＰ）とを含み、前記前面パネル、前記背面パネル、前記左面パネル、及び前記右面パネルのそれぞれは、前記ボトムパネルから前記トップパネルに延在し、前記前面パネルは上前縁部（ＦＴＥ）に沿って前記トップパネルに連結され、前記左面パネルは左上縁部（ＬＴＥ）に沿って前記トップパネルに連結され、
前記上前縁部（ＦＴＥ）は、前記左面パネルと前記右面パネルとの間に延在し、中心点（１０２）を有し、
前記左上縁部（ＬＴＥ）は、前記前面パネルと前記背面パネルとの間に延在し、中心点（１０３）を有する、本体（１０１）と、
前記トップパネル上に配置された開口装置（１０８）であって、前記開口装置は中心点（１０９）を有し、前記中心点（１０９）は前記上前縁部（ＦＴＥ）に垂直に延在し、その前記中心点（１０２）を通る第１の線（１０５）まで偏差距離（１０４）を有する、開口装置（１０８）とを含み、
前記トップパネルの領域は前記ボトムパネルの領域より大きい、紙製包装容器（１００）。
【請求項２】
前記第１の線（１０５）は、前記第１の線が前記トップパネルの全領域を２つの部分に分割するように、前記中心点（１０２）から前記トップパネルの反対側の上後縁部（ＢＴＥ）に延在し、前記開口装置は前記トップパネルの開口領域（ＯＡ）を覆い、前記２つの部分の第１の部分（１１１）の内側に含まれた前記開口領域の割合は、６０〜１００％の範囲内である、請求項１に記載の紙製包装容器。
【請求項３】
前記開口装置の前記中心点は、前記左上縁部（ＬＴＥ）に垂直に延在し、その前記中心点（１０３）を通る第２の線（１０７）まで偏差距離（１０６）を有する、請求項１又は２に記載の紙製包装容器。
【請求項４】
前記第２の線（１０７）は、前記第２の線が前記トップパネルの全領域を２つの部分に分割するように、前記中心点（１０３）から前記トップパネルの反対側の右上縁部（ＲＴＥ）に延在し、前記開口装置は前記トップパネルの開口領域（ＯＡ）を覆い、前記２つの部分の第１の部分（１１２）の内側に含まれた前記開口領域の割合は６０〜１００％の範囲内である、請求項３に記載の紙製包装容器。
【請求項５】
前記第１の線（１０５）及び前記第２の線（１０７）は、前記第１の線（１０５）及び前記第２の線（１０７）が前記トップパネルの全領域を４つの部分に分割するように、前記トップパネルの中間点（１１０）において交差し、前記開口装置は前記トップパネルの開口領域（ＯＡ）を覆い、前記４つの部分の第１の部分（１１３）の内側に含まれた前記開口領域の割合は、６０〜１００％の範囲内である、請求項１〜４のいずれか一項に記載の紙製包装容器。
【請求項６】
下後縁部（ＢＢＥ）から上後縁部（ＢＴＥ）までの前記背面パネル（ＢＰ）の高さ（ｈｂ）は、下前縁部（ＦＢＥ）から前記上前縁部（ＦＴＥ）までの前記前面パネル（ＦＰ）の高さ（ｈｆ）より大きい、請求項１〜５のいずれか一項に記載の紙製包装容器。
【請求項７】
前記上前縁部（ＦＴＥ）は前記左上縁部（ＬＴＥ）より長い、請求項１〜６のいずれか一項に記載の紙製包装容器。
【請求項８】
前記トップパネルと前記ボトムパネルとの間に延在する少なくとも１つの丸みを帯びた縁部（１１４）を含む、請求項１〜７のいずれか一項に記載の紙製包装容器。
【請求項９】
紙製包装容器用カートンブランク（２００）であって、
前記紙製包装容器の左前縁部（ＦＬＥ）及び左上縁部（ＬＴＥ）を画定する第１の長手方向折り目線（３０１）と、
前記紙製包装容器の右前縁部（ＦＲＥ）及び右上縁部（ＲＴＥ）を画定する第２の長手方向折り目線（３０２）と、
前面パネル部（ＦＰ）と、背面パネル部（ＢＰ）と、左面パネル部（ＬＰ）と、右面パネル部（ＲＰ）と、
上前縁部（ＦＴＥ）を画定する第１の部分（３０３’）、ならびに前記紙製包装容器の前記左面パネル部（ＬＰ）及び前記右面パネル部（ＲＰ）の上部の傾いた側部を画定する、前記第１の部分の対向する端部における第２の部分（３０３’’、３０３’’’）を含む、第１の横方向折り目線（３０３）であって、
前記第１の横方向折り目線の前記第２の部分（３０３’’、３０３’’’）は、その前記第１の部分（３０３’）に対して傾斜し、
前記前面パネル部（ＦＰ）は前記上前縁部（ＦＴＥ）に沿ってトップパネル部（Ｔ１）に連結され、
前記上前縁部（ＦＴＥ）は、前記第１の長手方向折り目線（３０１）と前記第２の長手方向折り目線（３０２）との間に延在し、中心点（１０２）を有する、第１の横方向折り目線（３０３）と、
前記トップパネル部（Ｔ１）上に配置された取り外し可能な開口部（１０８’）であって、前記取り外し可能な開口部は中心点（１０９’）を有し、前記中心点（１０９’）は前記上前縁部（ＦＴＥ）に垂直に延在し、その前記中心点（１０２）を通る第１の線（１０５）まで偏差距離（１０４）を有する、取り外し可能な開口部（１０８’）とを含む、カートンブランク（２００）。
【請求項１０】
前記第１の線（１０５）は、前記第１の線が前記トップパネルの全領域を２つの部分に分割するように、前記中心点（１０２）から前記トップパネル部（Ｔ１）の反対側の上後縁部（ＢＴＥ’）に延在し、前記取り外し可能な開口部は前記トップパネル部の開口領域（ＯＡ’）を覆い、前記２つの部分の第１の部分（１１１）の内側に含まれた前記開口領域の割合は、６０〜１００％の範囲内である、請求項９に記載のカートンブランク。
【請求項１１】
前記取り外し可能な開口部の前記中心点は、前記左上縁部（ＬＴＥ）に垂直に延在し、その中心点（１０３）を通る第２の線（１０７）まで偏差距離（１０６）を有する、請求項９又は１０に記載のカートンブランク。
【請求項１２】
前記第２の線（１０７）は、前記第２の線が前記トップパネル部の全領域を２つの部分に分割するように、前記中心点（１０３）から前記トップパネル部の前記反対側の右上縁部（ＲＴＥ）に延在し、前記取り外し可能な開口部は前記トップパネル部の開口領域（ＯＡ’）を覆い、前記２つの部分の第１の部分（１１２）の内側に含まれた前記開口領域の割合は、６０〜１００％の範囲内である、請求項１１に記載のカートンブランク。
【請求項１３】
前記第１の線（１０５）及び前記第２の線（１０７）は、前記第１の線（１０５）及び前記第２の線（１０７）が前記トップパネル部の全領域を４つの部分に分割するように、前記トップパネル部の中間点（１１０’）において交差し、前記取り外し可能な開口部は前記トップパネル部の開口領域（ＯＡ’）を覆い、前記４つの部分の第１の部分（１１３）の内側に含まれた前記開口領域の割合は、６０〜１００％の範囲内である、請求項９〜１２のいずれか一項に記載のカートンブランク。
【請求項１４】
前記右面パネル部（ＲＰ）は、前記第１の長手方向折り目線（３０１）と第３の長手方向折り目線（３０４）との間に延在し、前記右面パネル部は、前記第１の横方向折り目線（３０３）と第２の横方向折り目線（３０５）との間の前記第３の長手方向折り目線（３０４）に沿って第１の長さ（ｈ１）を有し、前記右面パネル部は、前記第１の横方向折り目線（３０３）と前記第２の横方向折り目線（３０５）との間の前記第１の長手方向折り目線（３０１）に沿って第２の長さ（ｈ２）を有し、前記第１の長さ（ｈ１）は前記第２の長さ（ｈ２）より長い、請求項９〜１３のいずれか一項に記載のカートンブランク。
【請求項１５】
前記上前縁部（ＦＴＥ）は前記左上縁部（ＬＴＥ）より長い、請求項９〜１４のいずれか一項に記載のカートンブランク。
【発明の詳細な説明】
【技術分野】
【０００１】
本発明は液体消費品用の紙製包装容器及び紙製包装容器用ブランクに関する。
【背景技術】
【０００２】
今日、液体消費品用の多種多様の紙製包装容器が複数の異なる製品及び必要性に適合するために使用されている。紙製包装容器の構造及び形状は、使いやすさや、包装容器自体の取り扱いの観点、包装容器の特性ならびに開口機構の型が異なる充填製品の特質とどの程度良く調和するかの観点等から、いくつかの側面に影響を及ぼす。例えば高い粘性の充填製品は、包装容器から抽出するのがより困難であり、典型的には最後の残留物を抽出するために包装容器をより多く操作する必要があることがある。より大きな開口部はこのような抽出を容易にするかもしれないが、同時に開口部から内容物を注ぐときに制御の程度を低下させることがある。後者は具体的には、同じ包装容器が粘性の低い製品に利用される場合に、例えば費用削減のために不都合であることがある。また具体的には、運動機能障害または製品を効率的に抽出することが困難である他の障害を有する人々にとって厄介であることもある。したがって包装容器の取り扱いの容易さと、特定の製品カテゴリのために準最適な総合的機能をもたらすその機構の特性との間の譲歩を見出すために、通常は妥協点が必要である。
【発明の概要】
【発明が解決しようとする課題】
【０００３】
本発明の目的は、先行技術の１つまたは複数の制限を少なくとも部分的に克服することである。具体的には、使用中に充填製品の容易な抽出を可能にする紙製包装容器及び紙製包装容器用の関連ブランクを提供することが目的である。
【課題を解決するための手段】
【０００４】
本発明の第１の態様では、トップパネルと、ボトムパネルと、トップパネルとボトムパネルとの間に延在する本体とを含む、液体消費品用紙製包装容器によって達成される。本体は前面パネルと、背面パネルと、左面パネルと、右面パネルとを含み、前面パネル、背面パネル、左面パネル、及び右面パネルのそれぞれはボトムパネルからトップパネルに延在し、前面パネルは上前縁部に沿ってトップパネルに連結され、左面パネルは左上縁部に沿ってトップパネルに連結される。上前縁部は、左面パネルと右面パネルとの間に延在し、中心点を有する。左上縁部は、前面パネルと背面パネルとの間に延在し、中心点を有する。紙製包装容器はトップパネル上に配置された開口装置を含み、開口装置は中心点を有し、中心点は上前縁部に垂直に延在し、その中心点を通る第１の線まで偏差距離を有する。トップパネルの領域はボトムパネルの領域より大きい。
【０００５】
本発明の第２の態様では、前記紙製包装容器の左前縁部及び左上縁部を画定する第１の長手方向折り目線と、前記紙製包装容器の右前縁部及び右上縁部を画定する第２の長手方向折り目線と、前面パネル部、背面パネル部、左面パネル部、及び右面パネル部とを含む、紙製包装容器用カートンブランクによって達成される。カートンブランクは、上前縁部を画定する第１の部分、ならびに紙製包装容器の左面パネル部及び右面パネル部の上部の傾いた側部を画定する、第１の部分の対向する端部における第２の部分を含む、第１の横方向折り目線を含む。第１の横方向折り目線の第２の部分は、その第１の部分に対して傾斜する。前面パネル部は上前縁部に沿ってトップパネル部に連結される。上前縁部は、第１の長手方向折り目線と第２の長手方向折り目線との間に延在し、中心点を有する。カートンブランクは、トップパネル部上に配置された取り外し可能な開口部を含み、取り外し可能な開口部は中心点を有し、中心点は上前縁部に垂直に延在し、その中心点を通る第１の線まで偏差距離を有する。
【０００６】
トップパネルの領域を底部パネルの領域よりも大きくしながら、トップパネルの中心から外れた位置にある開口装置を有することにより、トップパネル上により大きい開口を収容でき、さらに開口装置の偏差位置は充填製品を注ぐときに制御の程度を向上させる充填製品の抽出を容易にし、充填製品を抽出を容易にする。
【０００７】
本発明のさらなる例は従属請求項に定義されており、第１の態様の特徴は第２の態様に実施されてもよく、逆もまた同様である。
【０００８】
本発明のさらに他の目的、特徴、態様及び利点は、以下の詳細な説明及び図面から明らかになる。
【０００９】
本発明の実施例のこれらのならびに他の態様、特徴及び利点は、添付図面を参照して、以下の本発明の実施例の説明から明らかになり、解明される。
【図面の簡単な説明】
【００１０】
【図１】本開示の実施例による紙製包装容器を示す概略斜視図である。
【図２】本開示の実施例による紙製包装容器を示す概略側面図である。
【図３】本開示の実施例による紙製包装容器を示す概略正面図である。
【図４】本開示の実施例による紙製包装容器を示す概略上面図である。
【図５ａ−ｆ】本開示の実施例による紙製包装容器を示す概略上面図である。
【図６】本開示の実施例による紙製包装容器を示す概略背面図である。
【図７ａ】本開示の実施例による紙製包装容器用カートンブランクを示す概略図である。
【図７ｂ】本開示の実施例による紙製包装容器用カートンブランクのトップパネル部を示す概略図である。
【図８ａ−ｆ】本開示の実施例による紙製包装容器用カートンブランクのトップパネル部を示す概略上面図である。
【図９】本開示の実施例による紙製包装容器を示す概略斜視図である。
【図１０】本開示の実施例による紙製包装容器用カートンブランクを示す概略図である。
【発明を実施するための形態】
【００１１】
以下、図面を参照して本発明の特定の実施例を説明する。しかしながら、本発明は多くの異なる形態で具現化されてもよく、本明細書に記載された実施例に限定されると解釈するべきではなく、むしろこれらの実施例は、本開示が徹底的かつ完全であり、本発明の範囲を当業者に十分に伝えるように提供される。添付の図面に示された実施例の説明に使用された専門用語は、本発明を限定することを意図するものではない。図面において同じ番号は同じ要素を指す。
【００１２】
図１は、トップパネル（Ｔ）と、ボトムパネル（Ｂ）と、トップパネル（Ｔ）とボトムパネル（Ｂ）との間に延在する本体１０１とを含む、液体消費品用紙製包装容器１００を示す概略図である。本体１０１は前面パネル（ＦＰ）と、背面パネル（ＢＰ）と、左面パネル（ＬＰ）と、右面パネル（ＲＰ）とを含む。左面パネル（ＬＰ）は図３の正面図に示されている。前面パネル（ＦＰ）、背面パネル（ＢＰ）、左面パネル（ＬＰ）、及び右面パネル（ＲＰ）のそれぞれは、ボトムパネル（Ｂ）からトップパネル（Ｔ）に延在する。前面パネル（ＦＰ）は上前縁部（ＦＴＥ）に沿ってトップパネル（Ｔ）に連結される。左面パネル（ＬＰ）は左上縁部（ＬＴＥ）に沿ってトップパネル（Ｔ）に連結される。右面パネル（ＲＰ）は右上縁部（ＲＴＥ）に沿ってトップパネル（Ｔ）に連結される。図４を参照すると、上前縁部（ＦＴＥ）は、左面パネル（ＬＰ）と右面パネル（ＲＰ）との間に延在し、中心点１０２を有する。左上縁部（ＬＴＥ）は、前面パネル（ＦＰ）と背面パネル（ＢＰ）との間に延在し、中心点１０３を有する。紙製包装容器１００はトップパネル（Ｔ）上に配置された開口装置１０８を含む。開口装置１０８は中心点１０９を有し、中心点１０９は、図４に示すように、上前縁部（ＦＴＥ）に垂直に、かつその中心点１０２を通って延在する第１の線１０５に対して偏差距離１０４を有する。したがって開口装置１０８は、第１の中心線１０５まで偏差距離１０４をもってトップパネル（Ｔ）上に位置付けられる。図５ａ〜ｆはこのような偏差の異なる例を示し、それらについては以下にさらに詳細に説明する。さらにトップパネル（Ｔ）の領域はボトムパネル（Ｂ）の領域より大きい。ボトムパネル（Ｂ）の領域より大きい領域を有するトップパネル（Ｔ）を有する一方で、トップパネル（Ｔ）の中心から外れた位置にある開口装置１０８を有することは、トップパネルの領域上により大きい開口を収容でき、同時に開口装置１０８の偏差位置は紙製包装容器１００から充填製品を注ぐときの制御の程度が向上するので、充填製品の容易な抽出を提供する。有利な特性の相乗効果が使用者の視点に提供され、使用者は、開口装置１０８から内容物を注ぐ際に制御を損なうことなく紙製包装容器１００から内容物をより迅速に抽出することが可能となる。上前縁部（ＦＴＥ）の中心点１０２を通る第１の線１０５に対する開口装置１０８の偏差位置により、開口装置１０８を左面パネル（ＬＰ）により接近して置くことができる。したがって紙製包装容器１００を側方から直感的に握っている間、右面パネル（ＲＰ）を掴むことにより、内容物は反対側から、すなわち左面パネル（ＬＰ）により接近して位置付けられた開口装置１０８から都合よく注ぐことができる。このようにして紙製包装容器１００から内容物を注ぐ際の取り扱いやすさが向上する。紙製包装容器１００を右側から握り、続いて第１の線１０５を中心に紙製包装容器１００を回転することによって紙製包装容器１００から内容物を注ぐことは、示された第２の線１０７（図４）を中心に紙製包装容器１００を回転するのに比べて有利である。後者の回転は注ぐ行為の間の安定性を低くさせる。それゆえ左上縁部（ＬＴＥ）及び右面パネル（ＲＰ）に向かって上に特定されたような偏差距離１０４を有することにより、内容物がトップパネル（Ｔ）と接触する危険性を低減して、開口１０８から内容物を注ぐことができる。換言すると、偏差１０４は開口装置１０８と左上縁部（ＬＴＥ）との間の距離を減らし、それによって開口装置１０８と左上縁部（ＬＴＥ）との間のトップパネル（Ｔ）の表面領域を減らす。また偏差距離１０４は、紙製包装容器１００内に残っている最後の内容物を抽出するために、紙製包装容器１００が第１の線１０５を中心に回転する必要がある角度も減らす。換言すると、紙製包装容器１００は、内容物が開口装置１０８と左上縁部（ＬＴＥ）との間に延在する紙製包装容器１００のパッケージ材料を超えて流れるように回転しなければならない。したがって上述した距離を低減することにより、そこから内容物を空けるために紙製包装容器１００が回転する必要がある角度が低減する。したがって紙製包装容器１００の容易な取り扱いが提供される。
【００１３】
第１の線１０５は、図５ａに示すように、第１の線１０５がトップパネル（Ｔ）の全領域を２つの部分に分割するように、中心点１０２からトップパネル（Ｔ）の反対側の上後縁部（ＢＴＥ）に延在してもよい。開口装置１０８はトップパネル（Ｔ）の開口領域（ＯＡ）を覆う。上記２つの部分のうちの第１の部分１１１の内側に含まれる開口領域（ＯＡ）の割合は、６０〜１００％の範囲内であってもよい。例えば開口装置１０８が偏差距離１０４なしに第１の線１０５において中心に位置付けられた場合、開口領域（ＯＡ）の半分が第１の部分１１１の内側に含有されるであろう。したがって開口装置１０８は、開口領域（ＯＡ）のより大きな部分が第１の部分１１１の内側に含まれるように、第１の線１０５に対して偏差してもよい。トップパネル（Ｔ）の第１の部分１１１は、左上縁部（ＬＴＥ）、第１の線１０５、上前縁部（ＦＴＥ）、及び上後縁部（ＢＴＥ）によって範囲を定められる。図５ａは第１の部分１１１に重なる開口領域（ＯＡ）の割合の一例を示し、６０〜１００％の範囲内の様々な割合が、紙製包装容器１００から内容物を注ぐことを容易にすることにより、上に解明されたように有利な利益を提供することを理解されたい。図４及び図５ｂは、開口領域（ＯＡ）の１００％が第１の部分１１１内に含まれる場合の例を示す。これは、左上縁部（ＬＴＥ）と開口装置１０８との間の距離がさらに低減するので、紙製包装容器１００から内容物を特に容易に注ぐことができる。偏差距離１０４、及び第１の部分１１１と重なる開口領域（ＯＡ）の関連する割合は、様々な種類の紙製包装容器の設計及び充填製品に対する紙製包装容器１００の取り扱いを最適化するために変えてもよい。
【００１４】
開口装置１０８の中心点１０９は、例えば図４に示されたように左上縁部（ＬＴＥ）に対して垂直にかつそのその中心点１０３を通って延在する第２の線１０７に対して、偏差距離１０６を有してもよい。したがって、開口装置１０８は、開口装置１０８とトップパネル（Ｔ）の左上縁部（ＬＴＥ）と上前縁部（ＦＴＥ）との間に延在するトップパネル（Ｔ）の領域をさらに低減するために、前面パネル（ＦＰ）に向かって偏差してもよい。これは、トップパネル（Ｔ）上に内容物が流れる危険性を最小限にし、紙製包装容器１００内に残っている最後の内容物を空にするために第１の線１０５を中心とした紙製包装容器１００の回転を最小にし、紙製包装容器１００から内容物をさらに容易に注ぐことを提供する。したがって、使用者の注ぎ方の制御が改善されると同時に、開口装置１０８の大きさを大きくするという利点を利用できる、すなわち内容物をより早く抽出することができる。
【００１５】
第２の線１０７は、図５ｃに示すように、第２の線１０７がトップパネル（Ｔ）の全領域を２つの部分に分割するように、中心点１０３からトップパネル（Ｔ）の反対側の右上縁部（ＲＴＥ）に延在してもよい。開口装置１０８はトップパネル（Ｔ）の開口領域（ＯＡ）を覆う。上述した２つの部分の第１の部分１１２の内側に含まれる開口領域（ＯＡ）の割合は、６０〜１００％の範囲内であってもよい。したがって開口装置１０８は、開口領域（ＯＡ）の大部分が第１の部分１１２の内側に含まれるように、第２の線１０７に対して偏差してもよい。トップパネル（Ｔ）の第１の部分１１２は、左上縁部（ＬＴＥ）、第２の線１０７、上前縁部（ＦＴＥ）、及び右上縁部（ＲＴＥ）によって区切られている。図５ｃは第１の部分１１２に重なる開口領域（ＯＡ）の割合の一例を示しており、６０〜１００％の範囲内の様々な部分が、紙製包装容器１００から内容物を注ぐことを容易にすることにより、前述で解明されたように好都合な利点を提供することを理解されたい。図５ｄは、開口領域（ＯＡ）の１００％が第１の部分１１２内に含まれる場合の例を示す。これは、上前縁部（ＦＴＥ）と開口装置１０８との間の距離がさらになお低減されるので、紙製包装容器１００から内容物を特に容易に注ぐことを可能にする。偏差距離１０６、及び第１の部分１１２と重なる開口領域（ＯＡ）の関連する割合は、様々なタイプの紙製包装容器の設計及び充填製品に対する紙製包装容器１００の取り扱いを最適化するために変えてもよい。
【００１６】
第１の線１０５及び第２の線１０７は、図５ｅに示すように、第１の線１０５及び第２の線１０７がトップパネル（Ｔ）の全領域を４つの部分に分割するように、トップパネルの中間点１１０において交差するために中心点１０２及び中心点１０３のそれぞれから延在してもよい。開口装置１０８はトップパネル（Ｔ）の開口領域（ＯＡ）を覆う。４つの部分の第１の部分１１３の内側に含まれる開口領域（ＯＡ）の割合は、６０〜１００％の範囲内であってもよい。したがって開口装置１０８は、開口領域（ＯＡ）の大部分が第１の部分１１３の内側に含まれるように、第１の線１０５及び第２の線１０７の両方に対して偏差してもよい。トップパネル（Ｔ）の第１の部分１１３は、左上縁部（ＬＴＥ）、第１の線１０５、第２の線１０７、及び上前縁部（ＦＴＥ）によって区切られている。図５ｅは第１の部分１１３に重なる開口領域（ＯＡ）の割合の一例を示し、６０〜１００％の範囲内の様々な割合が、紙製包装容器１００から内容物を注ぐことを容易にすることにより、前述で解明されたように好都合な利点を提供することを理解されたい。図５ｆは、開口領域（ＯＡ）の１００％が第１の部分１１３内に含有される場合の例を示す。これは、上前縁部（ＦＴＥ）と開口装置１０８との間の距離、ならびに左上縁部（ＬＴＥ）と開口装置１０８との間の距離がさらになお低減されるので、紙製包装容器１００から内容物を注ぐことを特に容易にさせ得る。偏差距離１０４及び偏差距離１０６、ならびに第１の部分１１３と重なる開口領域（ＯＡ）の関連する割合は、様々なタイプの紙製包装容器の設計及び充填製品に対する紙製包装容器１００の取り扱いを最適化するために変えてもよい。開口装置１０８は、前述した利点を提供しながら偏差距離の量を変えることにより前述した部分１１１、１１２、１１３のいずれかに偏差してもよいことを理解されたい。いくつかの例では、図２に示すように、トップパネル（Ｔ）は前面パネル（ＦＰ）に向かって傾斜してもよい。この場合、開口装置１０８は、図６に概略的に示すように、紙製包装容器１００の上後縁部（ＢＴＥ）の上に開口装置１０８の限定された部分が延在する、または開口装置１０８の部分が全く延在しないように、上前縁部（ＦＴＥ）に向かって偏差１０６をもって好都合に配置される。これは、例えば紙製包装容器１００を積み重ねて輸送する際に、開口装置１０８を損傷の危険性が減少する。
【００１７】
それゆえ下後縁部（ＢＢＥ）から上後縁部（ＢＴＥ）までの背面パネル（ＢＰ）の高さ（ｈｂ）は、図２に示されたように下前縁部（ＦＢＥ）から上前縁部（ＦＴＥ）までの前面パネル（ＦＰ）の高さ（ｈｆ）より大きくてもよい。また傾斜したトップパネル（Ｔ）を有することは、トップパネル（Ｔ）の増大した領域も提供する。したがってトップパネル（Ｔ）は、特に高い粘性の内容物に対して紙製包装容器１００から内容物をより素早く抽出するために、より大きな開口装置１０８を収容することができる。しかし他の構成により、例えばパネル（ＦＰ、ＢＰ、ＬＰ、ＲＰ）のいずれかに角度をつけたり湾曲させたりすることにより、ボトムパネル（Ｂ）の領域より大きいトップパネル（Ｔ）の領域を提供することが考えられる。しかし傾斜したトップパネル（Ｔ）は、トップパネル（Ｔ）の領域を増加し、さらに開口装置１０８を保護を可能にしながら、特に安定した紙製包装容器１００を提供することができる。
【００１８】
上前縁部（ＦＴＥ）は、図４の例に示されたように左上縁部（ＬＴＥ）より長くてもよい。これは前面パネル及び背面パネル（ＦＰ、ＢＰ）に対してより狭い右面パネル及び左面パネル（ＲＰ、ＬＰ）が提供され、これにより、紙製包装容器１００の狭く直感的な把持部分が提供され、その把持部分に使用者が包装容器１００を即座に握ろうとするときに自身の手を置くことができる。上述のように、右面パネル（ＲＰ）を握ることによって、反対側の左面パネル（ＬＰ）の方向に偏差した開口装置１０８を有することは、紙製包装容器１００から内容物を容易に注ぐことを可能にする。
【００１９】
紙製包装容器１００は、図９の例に示すように、トップパネル（Ｔ）とボトムパネル（Ｂ）との間に延在する少なくとも１つの丸みを帯びた縁部１１４を含んでもよい。丸みを帯びた縁部１１４の幅は、図９に示されたように紙製包装容器１００の中間点において最大に達し、次いでトップパネル（Ｔ）及びボトムパネル（Ｂ）に向かって徐々に低減してもよい。丸みを帯びた縁部１１４は、紙製包装容器１００を握ること、及び紙製包装容器１００を圧縮するなどの包装容器１００の形状の操作を容易にする。丸みを帯びた縁部１１４は、ボトムパネル（Ｂ）からトップパネル（Ｔ）に延在する紙製包装容器の任意の縁部に提供されてもよい。図１０は、包装容器１００のこのような丸みを帯びた縁部１１４を提供するために、パネル部１１４’を有するカートンブランク２００の例を示す。
【００２０】
図７ａは、紙製包装容器１００用カートンブランク２００を示す概略図である。カートンブランク２００は、紙製包装容器１００の左前縁部（ＦＬＥ）及び左上縁部（ＬＴＥ）を画定する第１の長手方向折り目線３０１を含む。第２の長手方向折り目線３０２は、紙製包装容器１００の右前縁部（ＦＲＥ）及び右上縁部（ＲＴＥ）を画定する。カートンブランク２００は前面パネル部（ＦＰ）、背面パネル部（ＢＰ）、左面パネル部（ＬＰ）、及び右面パネル部（ＲＰ）を含む。カートンブランク２００は、上前縁部（ＦＴＥ）を画定する第１の部分３０３’、ならびに左面パネル部（ＬＰ）及び右面パネル部（ＲＰ）の上部の傾いた側部を画定する、第１の部分３０３’の対向する端部における第２の部分３０３’’、３０３’’’を含む、第１の横方向折り目線３０３をさらに含む。第１の横方向折り目線３０３の第２の部分３０３’’、３０３’’’は、図７ａに示されたようにその第１の部分３０３’に対して角度がつけられている。前面パネル部（ＦＰ）は上前縁部（ＦＴＥ）に沿ってトップパネル部（Ｔ１）に連結される。
【００２１】
図７ｂはカートンブランク２００のトップパネル部（Ｔ１）の詳細図である。上前縁部（ＦＴＥ）は第１の長手方向折り目線３０１と第２の長手方向折り目線３０２との間に延在し、中心点１０２を有する。中心点１０２は図７ｂに示されている。カートンブランク２００はトップパネル部（Ｔ１）上に配置された取り外し可能な開口部１０８’を含む。取り外し可能な開口部１０８’は開口装置１０８を受け入れるように意図される。取り外し可能な開口部１０８’は中心点１０９’を有し、中心点１０９’は、図７ｂに示されたように上前縁部（ＦＴＥ）に垂直にかつ、その中心点１０２を通って延在する第１の線１０５に対して偏差距離１０４を有する。上前縁部（ＦＴＥ）の中心を通る第１の線１０５に対して偏差距離１０４を有して配置された取り外し可能な開口部１０８’を有することにより、紙製包装容器１００及び図１〜６に関して上述した通り、好都合な利点を有するブランク２００を用いて紙製包装容器１００を形成することを提供する。その第１の部分３０３’に対して傾斜した第１の横方向折り目線３０３の第２の部分３０３’’、３０３’’’を有することにより、紙製包装容器１００に関して上述の通り、偏差された開口部１０８’との相乗効果により、増加したトップパネルの領域及び好都合な利点を有する紙製包装容器１００を提供する。
【００２２】
図８ａ〜ｆはトップパネル部（Ｔ１）の例を示す。第１の線１０５は、図８ａに示すように、トップパネル部（Ｔ１）の全領域を２つの部分に分割するように、前述の中心点１０２からトップパネル部（Ｔ１）の反対側の上後縁部（ＢＴＥ’）に延在してもよい。取り外し可能な開口部１０８’はトップパネル部（Ｔ１）の開口領域（ＯＡ’）を覆う。前述の２つの部分のうちの第１の部分１１１の内側に含まれる開口領域（ＯＡ’）の割合は、６０〜１００％の範囲内であってもよい。図８ａは第１の部分１１１に重なる開口領域（ＯＡ’）の割合の一例を示し、６０〜１００％の範囲内の様々な割合が、紙製包装容器１００から内容物を注ぐことを容易にすることにより、前述で解明されたように好都合な利点を提供することを理解されたい。図８ｂは、開口領域（ＯＡ’）の１００％が第１の部分１１１内に含まれる場合の例を示す。これは、紙製包装容器１００から特に容易に内容物を注ぐことができる。
【００２３】
取り外し可能な開口部１０８’の中心点１０９’は、例えば図８ｃに示すように、左上縁部（ＬＴＥ）に垂直にかつその中心点１０３を通って延在する第２の線１０７に対して偏差距離１０６を有してもよい。このようにしてブランク２００は開口部１０８’を提供し、開口部１０８’は図１〜６に関して上述したとおり、紙製包装容器１００の前面パネル（ＦＰ）に対しても偏差している。
【００２４】
第２の線１０７は、第２の線１０７が、図８ｃに示すように、トップパネル部（Ｔ１）の全領域を２つの部分に分割するように、中心点１０３からトップパネル部（Ｔ１）の反対側の右上縁部（ＲＴＥ）に延在してもよい。取り外し可能な開口部１０８’は、トップパネル部（Ｔ１）の開口領域（ＯＡ’）を覆う。前述の２つの部分の第１の部分１１２の内側に含まれる開口領域（ＯＡ’）の割合は、６０〜１００％の範囲内であってもよい。図８ｃは、第１の部分１１２に重なる開口領域（ＯＡ’）の割合の一例を示し、６０〜１００％の範囲内の様々な割合が、紙製包装容器１００から内容物を注ぐことを容易にすることにより、前述で解明されたように好都合な利点を提供することを理解されたい。図８ｄは、開口領域（ＯＡ’）の１００％が第１の部分１１２内に含まれる場合の例を示す。この場合、紙製包装容器１００から内容物を特に容易に注ぐことができる。
【００２５】
第１の線１０５及び第２の線１０７は、図８ｅに示すように、第１の線１０５及び第２の線１０７がトップパネル部（Ｔ１）の全領域を４つの部分に分割するように、トップパネル部（Ｔ１）の中間点１１０’において交差するために中心点１０２及び中心点１０３のそれぞれから延在してもよい。取り外し可能な開口部１０８’はトップパネル部（Ｔ１）の開口領域（ＯＡ’）を覆う。前述の４つの部分の第１の部分１１３の内側に含まれる開口領域（ＯＡ’）の割合は、６０〜１００％の範囲内であってもよい。図８ｅは第１の部分１１３に重なる開口領域（ＯＡ’）の割合の一例を示し、６０〜１００％の範囲内の様々な割合が、紙製包装容器１００から内容物を注ぐことを容易にすることにより、前述で解明されたように好都合な利点を提供することを理解されたい。図８ｆは、開口領域（ＯＡ’）の１００％が第１の部分１１３内に含まれる場合の例を示す。これは、上前縁部（ＦＴＥ）と開口部１０８’との間の距離、ならびに左上縁部（ＬＴＥ）と開口部１０８’との間の距離がさらになお低減されるので、紙製包装容器１００から内容物を注ぐことを特に容易にさせ得る。
【００２６】
図７ａを参照すると、右面パネル部（ＲＰ）は第１の長手方向折り目線３０１と第３の長手方向折り目線３０４との間に延在してもよい。右面パネル部（ＲＰ）は、第１の横方向折り目線３０３と第２の横方向折り目線３０５との間の第３の長手方向折り目線３０４に沿った第１の長さ（ｈ１）を有する。具体的には、第２の横方向折り目線３０５は、図１に示すように、パッケージ１００の下前縁部（ＦＢＥ）及び下後縁部（ＢＢＥ）を画定する。右面パネル部（ＲＰ）は、第１の横方向折り目線３０３と第２の横方向折り目線３０５との間の第１の長手方向折り目線３０１に沿った第２の長さ（ｈ２）を有する。第１の長さ（ｈ１）は、図７ａに示すように、第２の長さ（ｈ２）より長くてもよい。
したがって、カートンブランク２００は、図２に示すように、傾斜したトップパネル（Ｔ）を備え、紙製包装容器１００に関して前述の通り好都合な利点をもつ紙製包装容器１００の形成を提供する。
【００２７】
左上縁部（ＬＴＥ）は、例えば図７ｂに示すように、上前縁部（ＦＴＥ）より短い長さを有してもよい。これにより、前面パネル及び背面パネル（ＦＰ、ＢＰ）に対してより狭い右面パネル及び左面パネル（ＲＰ、ＬＰ）を備えた紙製包装容器１００を提供し、これにより、使用中に紙製包装容器１００の狭く直感的な把持部分を提供する。前述に記載されたように、右面パネル（ＲＰ）を握ることによって、反対側の左面パネル（ＬＰ）に向かって偏差した開口部１０８’を有することによって、紙製包装容器１００から内容物を容易に注ぐことが可能となる。
【００２８】
本発明は具体例を参照して前述の通りに説明された。しかし前述に説明された以外の他の例も同様に本発明の範囲内で可能である。本発明の異なる特徴及びステップは、記載されたもの以外の他の組合せで組み合わされてもよい。本発明の範囲は添付の特許請求の範囲のみによって限定される。
【００２９】
より一般的には、当業者は、本明細書に記載されたすべてのパラメータ、寸法、材料、及び構成が例示であることを意味し、実際のパラメータ、寸法、材料、及び／または構成が、本発明の教示が使用される特定の又は複数の用途に依存することを容易に理解するであろう。
【符号の説明】
【００３０】
１００  紙製包装容器
１０１  本体
１０２  中心点
１０３  中心点
１０４  偏差距離
１０５  第１の線
１０６  偏差距離
１０７  第２の線
１０８  開口装置
１０８’  取り外し可能な開口部
１０９  中心点
１０９’  中心点
１１０  中間点
１１０’  中間点
１１１  第１の部分
１１２  第１の部分
１１３  第１の部分
１１４  縁部
１１４’  パネル部
２００  カートンブランク
３０１  第１の長手方向折り目線
３０２  第２の長手方向折り目線
３０３  第１の横方向折り目線
３０３’  第１の部分
３０３’’  第２の部分
３０３’’’  第２の部分
３０４  第３の長手方向折り目線
３０５  第２の横方向折り目線
Ｔ  トップパネル
Ｂ  ボトムパネル
ＦＰ  前面パネル
ＢＰ  背面パネル
ＬＰ  左面パネル
ＲＰ  右面パネル
ＦＴＥ  上前縁部
ＢＴＥ  上後縁部
ＢＴＥ’  上後縁部
ＦＢＥ  下前縁部
ＢＢＥ  下後縁部
ＬＴＥ  左上縁部
ＲＴＥ  右上縁部
ＦＬＥ  左前縁部
ＦＲＥ  右前縁部
ＯＡ  開口領域
ＯＡ’  開口領域
ｈ１  第１の長さ
ｈ２  第２の長さ
ｈｂ  背面パネルの高さ
ｈｆ  前面パネルの高さ
Ｔ１  トップパネル部
【図１】
2020040729.tif 000003
【図２】
2020040729.tif 000004
【図３】
2020040729.tif 000005
【図４】
2020040729.tif 000006
【図５ａ−ｆ】
2020040729.tif 000007
【図６】
2020040729.tif 000008
【図７ａ】
2020040729.tif 000009
【図７ｂ】
2020040729.tif 000010
【図８ａ−ｆ】
2020040729.tif 000011
【図９】
2020040729.tif 000012
【図１０】
2020040729.tif 000013
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
ボトムパネル（Ｂ）と、前記ボトムパネルの領域よりも大きい領域を有するトップパネル（Ｔ）と、前記ボトムパネル及び前記トップパネルの間に延在する本体（１０１）と、前記トップパネル上に配置された開口装置（１０８）とを備え、
前記本体（１０１）は、前面パネル（ＦＰ）と、背面パネル（ＢＰ）と、左面パネル（ＬＰ）と、右面パネル（ＲＰ）と、容器を握りやすくするための少なくとも１つの縁部（１１４）とを含み、前記前面パネル、前記背面パネル、前記左面パネル、および前記右面パネルは、前記ボトムパネルから前記トップパネルに延在し、前記前面パネルは上前縁部（ＦＴＥ）に沿って前記トップパネルに連結され、前記左面パネルは左上縁部（ＬＴＥ）に沿って前記トップパネルに連結され、
前記トップパネルの全領域を４つの部分に分割するように、第１の線（１０５）及び第２の線（１０７）が前記トップパネルの中間点（１１０）において交差し、前記第１線（１０５）は前記上前縁部（ＦＴＥ）の中心点（１０２）から垂直に延在し、前記第２の線（１０７）は前記左上縁部（ＬＴＥ）の中心点（１０３）から垂直に延在し、前記４つの部分のうち第１の部分（１１３）は、前記左面パネル（ＬＰ）及び前記前面パネル（ＦＰ）の近傍に位置し、前記４つの部分のうち第２の部分は、前記左面パネル（ＬＰ）及び前記背面パネル（ＢＰ）の近傍に位置し、前記４つの部分のうち第３の部分は、前記右面パネル（ＲＰ）及び前記前面パネル（ＦＰ）の近傍に位置し、
前記開口装置は、前記トップパネルの開口領域（ＯＡ）を覆い、前記第１の部分（１１３）の内側に含有された前記開口領域の割合が６０〜１００％の範囲内であり、かつ前記前記第２の部分の内側又は前記第３の部分の内側に前記開口領域の一部が含まれる、
紙製包装容器。
【請求項２】
前記第２の部分の内側及び前記第３の部分の内側の両方に前記開口領域の一部が含まれる、請求項１記載の紙製包装容器。
【請求項３】
前記少なくとも１つの縁部（１１４）は、前記右面パネル（ＲＰ）に隣接する、請求項１又は２に記載の紙製包装容器。
【請求項４】
前記少なくとも１つの縁部（１１４）は、前記右面パネル（ＲＰ）と前記前面パネル（ＦＰ）の間に設けられる、請求項３に記載の紙製包装容器。
【請求項５】
前記少なくとも１つの縁部（１１４）は、中間点において最大に達し、前記トップパネル（Ｔ）及び前記びボトムパネル（Ｂ）に向かって徐々に低減する幅を有する形状を含む、請求項１〜４のいずれか一項に記載の紙製包装容器。
【請求項６】
前記トップパネルは、前記ボトムパネルに対して傾斜している、請求項１〜５のいずれか一項に記載の紙製包装容器。
【請求項７】
下後縁部（ＢＢＥ）から上後縁部（ＢＴＥ）までの前記背面パネル（ＢＰ）の高さ（ｈｂ）は、下前縁部（ＦＢＥ）から前記上前縁部（ＦＴＥ）までの前記前面パネル（ＦＰ）の高さ（ｈｆ）より大きい、請求項１〜６のいずれか一項に記載の紙製包装容器。
【請求項８】
前記上前縁部（ＦＴＥ）は前記左上縁部（ＬＴＥ）より長い、請求項１〜７のいずれか一項に記載の紙製包装容器。
【手続補正３】
【補正対象書類名】明細書
【補正対象項目名】０００１
【補正方法】変更
【補正の内容】
【０００１】
本発明は液体消費品用の紙製包装容器に関する。
【手続補正４】
【補正対象書類名】明細書
【補正対象項目名】０００３
【補正方法】変更
【補正の内容】
【０００３】
本発明の目的は、先行技術の１つまたは複数の制限を少なくとも部分的に克服することである。具体的には、使用中に充填製品の容易な抽出を可能にする紙製包装容器を提供することが目的である。
【手続補正５】
【補正対象書類名】明細書
【補正対象項目名】０００４
【補正方法】変更
【補正の内容】
【０００４】
本発明の第１の態様では、ボトムパネルと、ボトムパネルの領域よりも大きい領域を有するトップパネルと、ボトムパネル及びトップパネルの間に延在する本体と、トップパネル上に配置された開口装置とを含む、液体消費品用紙製包装容器によって達成される。本体は前面パネルと、背面パネルと、左面パネルと、右面パネルと、容器を握りやすくするための少なくとも１つの縁部（１１４）とを含み、前面パネル、背面パネル、左面パネル、及び右面パネルのそれぞれはボトムパネルからトップパネルに延在し、前面パネルは上前縁部に沿ってトップパネルに連結され、左面パネルは左上縁部に沿ってトップパネルに連結される。前記トップパネルの全領域を４つの部分に分割するように、第１の線（１０５）及び第２の線（１０７）が前記トップパネルの中間点（１１０）において交差し、前記第１線（１０５）は前記上前縁部（ＦＴＥ）の中心点（１０２）から垂直に延在し、前記第２の線（１０７）は前記左上縁部（ＬＴＥ）の中心点（１０３）から垂直に延在する。前記４つの部分のうち第１の部分（１１３）は、前記左面パネル（ＬＰ）及び前記前面パネル（ＦＰ）の近傍に位置する。前記４つの部分のうち第２の部分は、前記左面パネル（ＬＰ）及び前記背面パネル（ＢＰ）の近傍に位置する。前記４つの部分のうち第３の部分は、前記右面パネル（ＲＰ）及び前記前面パネル（ＦＰ）の近傍に位置する。前記開口装置は、前記トップパネルの開口領域（ＯＡ）を覆い、前記第１の部分（１１３）の内側に含有された前記開口領域の割合が６０〜１００％の範囲内であり、かつ前記前記第２の部分の内側又は前記第３の部分の内側に前記開口領域の一部が含まれる。
【手続補正６】
【補正対象書類名】明細書
【補正対象項目名】０００５
【補正方法】変更
【補正の内容】
【０００５】
本発明の第２の態様では、前記第２の部分の内側及び前記第３の部分の内側の両方に前記開口領域の一部が含まれる。又は、前記少なくとも１つの縁部（１１４）は、前記右面パネル（ＲＰ）に隣接する。又は、前記少なくとも１つの縁部（１１４）は、前記右面パネル（ＲＰ）と前記前面パネル（ＦＰ）の間に設けられる。又は、前記少なくとも１つの縁部（１１４）は、中間点において最大に達し、前記トップパネル（Ｔ）及び前記びボトムパネル（Ｂ）に向かって徐々に低減する幅を有する形状を含む。
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
ボトムパネル（Ｂ）と、前記ボトムパネルの領域よりも大きい領域を有するトップパネル（Ｔ）と、前記ボトムパネル及び前記トップパネルの間に延在する本体（１０１）と、前記トップパネル上に配置された開口装置（１０８）とを備え、
前記本体（１０１）は、前面パネル（ＦＰ）と、背面パネル（ＢＰ）と、左面パネル（ＬＰ）と、右面パネル（ＲＰ）とを含み、前記前面パネル、前記背面パネル、前記左面パネル、および前記右面パネルは、前記ボトムパネルから前記トップパネルに延在し、前記前面パネルは上前縁部（ＦＴＥ）に沿って前記トップパネルに連結され、前記左面パネルは左上縁部（ＬＴＥ）に沿って前記トップパネルに連結され、
前記トップパネルの全領域を４つの部分に分割するように、第１の線（１０５）及び第２の線（１０７）が前記トップパネルの中間点（１１０）において交差し、前記第１線（１０５）は前記上前縁部（ＦＴＥ）の中心点（１０２）から垂直に延在し、前記第２の線（１０７）は前記左上縁部（ＬＴＥ）の中心点（１０３）から垂直に延在し、前記４つの部分のうち第１の部分（１１３）は、前記左面パネル（ＬＰ）及び前記前面パネル（ＦＰ）の近傍に位置し、前記４つの部分のうち第２の部分は、前記左面パネル（ＬＰ）及び前記背面パネル（ＢＰ）の近傍に位置し、前記４つの部分のうち第３の部分は、前記右面パネル（ＲＰ）及び前記前面パネル（ＦＰ）の近傍に位置し、
前記開口装置は、前記トップパネルの開口領域（ＯＡ）を覆い、前記第１の部分（１１３）の内側に含有された前記開口領域の割合が６０％以上であり、かつ前記第２の部分の内側及び前記第３の部分の内側に前記開口領域の一部が含まれる、
紙製包装容器。
【請求項２】
前記トップパネルと前記ボトムパネルの間に延在する少なくとも１つの丸みを帯びた縁部（１１４）を含む、請求項１記載の紙製包装容器。
【請求項３】
前記縁部（１１４）は、前記右面パネル（ＲＰ）に隣接する、請求項２に記載の紙製包装容器。
【請求項４】
前記縁部（１１４）は、前記右面パネル（ＲＰ）と前記前面パネル（ＦＰ）の間に設けられる、請求項３に記載の紙製包装容器。
【請求項５】
前記縁部（１１４）は、中間点において最大に達し、前記トップパネル（Ｔ）及び前記びボトムパネル（Ｂ）に向かって徐々に低減する幅を有する形状を含む、請求項２〜４のいずれか一項に記載の紙製包装容器。
【請求項６】
前記トップパネルは、前記ボトムパネルに対して傾斜している、請求項１〜５のいずれか一項に記載の紙製包装容器。
【請求項７】
下後縁部（ＢＢＥ）から上後縁部（ＢＴＥ）までの前記背面パネル（ＢＰ）の高さ（ｈｂ）は、下前縁部（ＦＢＥ）から前記上前縁部（ＦＴＥ）までの前記前面パネル（ＦＰ）の高さ（ｈｆ）より大きい、請求項１〜６のいずれか一項に記載の紙製包装容器。
【請求項８】
前記上前縁部（ＦＴＥ）は前記左上縁部（ＬＴＥ）より長い、請求項１〜７のいずれか一項に記載の紙製包装容器。
【手続補正２】
【補正対象書類名】明細書
【補正対象項目名】０００４
【補正方法】変更
【補正の内容】
【０００４】
本発明の第１の態様では、ボトムパネルと、ボトムパネルの領域よりも大きい領域を有するトップパネルと、ボトムパネル及びトップパネルの間に延在する本体と、トップパネル上に配置された開口装置とを含む、液体消費品用紙製包装容器によって達成される。本体は前面パネルと、背面パネルと、左面パネルと、右面パネルとを含み、前面パネル、背面パネル、左面パネル、及び右面パネルのそれぞれはボトムパネルからトップパネルに延在し、前面パネルは上前縁部に沿ってトップパネルに連結され、左面パネルは左上縁部に沿ってトップパネルに連結される。前記トップパネルの全領域を４つの部分に分割するように、第１の線（１０５）及び第２の線（１０７）が前記トップパネルの中間点（１１０）において交差し、前記第１線（１０５）は前記上前縁部（ＦＴＥ）の中心点（１０２）から垂直に延在し、前記第２の線（１０７）は前記左上縁部（ＬＴＥ）の中心点（１０３）から垂直に延在する。前記４つの部分のうち第１の部分（１１３）は、前記左面パネル（ＬＰ）及び前記前面パネル（ＦＰ）の近傍に位置する。前記４つの部分のうち第２の部分は、前記左面パネル（ＬＰ）及び前記背面パネル（ＢＰ）の近傍に位置する。前記４つの部分のうち第３の部分は、前記右面パネル（ＲＰ）及び前記前面パネル（ＦＰ）の近傍に位置する。前記開口装置は、前記トップパネルの開口領域（ＯＡ）を覆い、前記第１の部分（１１３）の内側に含有された前記開口領域の割合が６０％以上であり、かつ前記第２の部分の内側及び前記第３の部分の内側に前記開口領域の一部が含まれる。
【手続補正３】
【補正対象書類名】明細書
【補正対象項目名】０００５
【補正方法】変更
【補正の内容】
【０００５】
本発明の第２の態様では、前記トップパネルと前記ボトムパネルの間に延在する少なくとも１つの丸みを帯びた縁部（１１４）を含む。又は、前記縁部（１１４）は、前記右面パネル（ＲＰ）に隣接する。又は、前記縁部（１１４）は、前記右面パネル（ＲＰ）と前記前面パネル（ＦＰ）の間に設けられる。又は、前記縁部（１１４）は、中間点において最大に達し、前記トップパネル（Ｔ）及び前記びボトムパネル（Ｂ）に向かって徐々に低減する幅を有する形状を含む。
【手続補正４】
【補正対象書類名】明細書
【補正対象項目名】０００６
【補正方法】変更
【補正の内容】
【０００６】
トップパネルの領域を底部パネルの領域よりも大きくしながら、トップパネルの中心から外れた位置にある開口装置を有することにより、トップパネル上により大きい開口を収容でき、さらに開口装置の偏差位置は充填製品を注ぐときに制御の程度を向上させ、充填製品の抽出を容易にする。